(57)【要約】      （修正有）【課題】ネット上、取得可能なロードマップに、観光等に利用可能なイラストマップを簡便に重ね合わせて表示する。【解決手段】中央制御装置は、経路検索サーバのデータベースから取得したロードマップ画像41を、表示装置の下層レイヤー61に表示させるとともに、イラストマップ画像を上層レイヤー62に表示させ、下層レイヤー61に表示されるロードマップ画像41の緯度経度情報と、上層レイヤー62に表示されるイラストマップ画像の緯度経度情報とが一致するように、上層レイヤー62に表示されるイラストマップ画像を、下層レイヤー61に表示されるロードマップ画像41に重ねて表示させる。【選択図】図１
2013250643.tif 000002
【特許請求の範囲】
【請求項１】
ロードマップ画像が蓄積されたデータベースを有する経路検索サーバとネットワークを介して接続される情報表示端末であって、
前記情報表示端末には、
前記経路検索サーバに前記ネットワークを介して接続する通信装置と、
前記通信装置を介して、前記データベースから取得した前記ロードマップ画像を表示する表示装置と、
前記ロードマップ画像に重ね合わせて表示可能であり、緯度経度情報にもとづいてラウンドマークが表示されたイラストマップ画像を記憶する記憶装置と、
ユーザーが操作可能な操作装置と、
前記前記通信装置、前記表示装置、前記記憶装置及び前記操作装置にそれぞれ接続され、前記表示装置に表示される画像を制御可能な中央制御装置とを備え、
前記中央制御装置は、
前記データベースから取得した前記ロードマップ画像を、前記表示装置の下層レイヤーに表示させるとともに、前記イラストマップ画像を上層レイヤーに表示させ、
前記下層レイヤーに表示される前記ロードマップ画像の緯度経度情報と、前記上層レイヤーに表示される前記イラストマップ画像の緯度経度情報とが一致するように、前記上層レイヤーに表示される前記イラストマップ画像を、前記下層レイヤーに表示される前記ロードマップ画像に重ねて表示させるようにしていることを特徴とする情報表示端末。
【請求項２】
請求項１に記載の情報表示端末であって、
前記中央制御装置は、
前記下層レイヤーに表示される前記ロードマップ画像中から予め設定した複数の第１の位置から緯度経度情報を取得し、
前記取得した緯度経度情報から経緯緯度を読み出し、当該読み出した経緯緯度に対応する緯度経度を有する複数の第２の位置を前記イラストマップ画像上で特定し、
前記第１の位置と前記第２の位置とがそれぞれ一致するように、前記上層レイヤーに表示される前記イラストマップ画像を、前記下層レイヤーに表示される前記ロードマップ画像に重ねて表示させるようにしていることを特徴とする情報表示端末。
【請求項３】
請求項２に記載の情報表示端末であって、
前記イラストマップ画像には、
地図縮尺の異なる複数の前記イラストマップ画像を含み、
前記中央制御装置は、
前記取得した緯度経度情報から前記下層レイヤーに表示される前記ロードマップ画像の地図縮尺を判定し、
前記地図縮尺の異なる複数の前記イラストマップ画像のうちから、判定した地図縮尺に最も近似する地図縮尺を有する前記イラストマップ画像を選択し、
当該選択した前記イラストマップ画像を前記上層レイヤーに表示させるようにしていることを特徴とする情報表示端末。
【請求項４】
請求項３に記載の情報表示端末であって、
前記中央制御装置は、
前記下層レイヤーに表示される前記ロードマップ画像の地図縮尺と、前記選択して前記上層レイヤーに表示させる前記イラストマップ画像の地図縮尺が一致しない場合に、
前記上層レイヤーに表示させる前記イラストマップ画像の地図縮尺が一致するように、当該イラストマップ画像を拡大・縮小して表示させるようにしていることを特徴とする情報表示端末。
【請求項５】
請求項１〜４のいずれか１項に記載の情報表示端末であって、
前記中央制御装置は、
前記操作装置の操作にもとづいて、前記下層レイヤーに表示される前記ロードマップ画像が拡大・縮小された場合に、
当該拡大・縮小の倍率に一致するように、前記上層レイヤーに表示させる前記イラストマップ画像の地図縮尺が一致するように、当該イラストマップ画像を拡大・縮小して表示させるようにしていることを特徴とする情報表示端末。
【請求項６】
請求項１〜５のいずれか１項に記載の情報表示端末であって、
前記経路検索サーバは、
前記情報表示端末において、前記ロードマップ画像中の少なくとも２点が指定された場合に、当該２点間の経路情報を作成して前記情報表示端末に送信し、
前記中央制御装置は、
前記経路検索サーバから受信した前記経路情報にもとづいて、前記下層レイヤーに表示される前記ロードマップ画像に、前記上層レイヤーに表示される前記イラストマップ画像を重ねて表示させた画像に経路画像を描画するようにしていることを特徴とする情報表示端末。
【請求項７】
ロードマップ画像が蓄積されたデータベースを有する経路検索サーバとネットワークを介して接続され、
前記経路検索サーバに前記ネットワークを介して接続する通信装置と、
前記通信装置を介して、前記データベースから取得した前記ロードマップ画像を表示する表示装置と、
前記ロードマップ画像に重ね合わせて表示可能であり、緯度経度情報にもとづいてラウンドマークが表示されたイラストマップ画像を記憶する記憶装置と、
ユーザーが操作可能な操作装置と、
前記前記通信装置、前記表示装置、前記記憶装置及び前記操作装置にそれぞれ接続され、前記表示装置に表示される画像を制御可能な中央制御装置とを備える情報表示端末を前提とし、
前記データベースから取得した前記ロードマップ画像を、前記表示装置の下層レイヤーに表示させ、前記イラストマップ画像を上層レイヤーに表示させ、前記下層レイヤーに表示される前記ロードマップ画像の緯度経度情報と、前記上層レイヤーに表示される前記イラストマップ画像の緯度経度情報とが一致するように、前記上層レイヤーに表示される前記イラストマップ画像を、前記下層レイヤーに表示される前記ロードマップ画像に重ねて表示させるように前記中央制御装置を機能させるための情報表示端末用のプログラム。
【請求項８】
請求項７に記載の情報表示端末用のプログラムには、
前記イラストマップ画像を含むことを特徴とする情報表示端末用のプログラム。
【発明の詳細な説明】
【技術分野】
【０００１】
この発明は、地図を表示可能な情報表示端末及びこれに用いるプログラムに関し、ネット上、取得可能なロードマップに、観光等に利用可能なイラストマップを簡便に重ね合わせて表示することができるようにしたものである。
【背景技術】
【０００２】
従来、所定の座標系において作成された地図と、座標系が設定されていないイラストマップ等を重ね合わせる方法（特許文献１）や、縮尺や精度が異なる地形図、施設図等を重ね合わせる方法（特許文献２）が知られている。
【先行技術文献】
【特許文献】
【０００３】
【特許文献１】特開２００２−１４０７０４号公報
【特許文献２】特開２００４−１０１７８０号公報
【発明の概要】
【発明が解決しようとする課題】
【０００４】
しかし、上記した従来の方法は、専門知識が要求され、コンピュータ上でのオペレータによる複雑な作業が要求されるという問題点があった。
そこで、各請求項にそれぞれ記載された各発明は、上記した従来の技術の有する問題点に鑑みてなされたものである。
すなわち、本発明は、ネット上、取得可能なロードマップに、観光等に利用可能なイラストマップを簡便に重ね合わせて表示することができるようにしたものである。
【課題を解決するための手段】
【０００５】
各請求項にそれぞれ記載された各発明は、上記した各目的を達成するためになされたものである。
本発明は、第１に、情報表示端末に関し、ロードマップ画像が蓄積されたデータベースを有する経路検索サーバとネットワークを介して接続される情報表示端末であって、前記情報表示端末には、前記経路検索サーバに前記ネットワークを介して接続する通信装置と、前記通信装置を介して、前記データベースから取得した前記ロードマップ画像を表示する表示装置と、前記ロードマップ画像に重ね合わせて表示可能であり、緯度経度情報にもとづいてラウンドマークが表示されたイラストマップ画像を記憶する記憶装置と、ユーザーが操作可能な操作装置と、前記前記通信装置、前記表示装置、前記記憶装置及び前記操作装置にそれぞれ接続され、前記表示装置に表示される画像を制御可能な中央制御装置とを備え、前記中央制御装置は、前記データベースから取得した前記ロードマップ画像を、前記表示装置の下層レイヤーに表示させるとともに、前記イラストマップ画像を上層レイヤーに表示させ、前記下層レイヤーに表示される前記ロードマップ画像の緯度経度情報と、前記上層レイヤーに表示される前記イラストマップ画像の緯度経度情報とが一致するように、前記上層レイヤーに表示される前記イラストマップ画像を、前記下層レイヤーに表示される前記ロードマップ画像に重ねて表示させるようにしていることを特徴とする。
【０００６】
本発明は、第２に、情報表示端末に関し、前記中央制御装置は、前記下層レイヤーに表示される前記ロードマップ画像中から予め設定した複数の第１の位置から緯度経度情報を取得し、前記取得した緯度経度情報から経緯緯度を読み出し、当該読み出した経緯緯度に対応する緯度経度を有する複数の第２の位置を前記イラストマップ画像上で特定し、前記第１の位置と前記第２の位置とがそれぞれ一致するように、前記上層レイヤーに表示される前記イラストマップ画像を、前記下層レイヤーに表示される前記ロードマップ画像に重ねて表示させるようにしていることを特徴とする。
【０００７】
本発明は、第３に、情報表示端末に関し、前記イラストマップ画像には、地図縮尺の異なる複数の前記イラストマップ画像を含み、前記中央制御装置は、前記取得した緯度経度情報から前記下層レイヤーに表示される前記ロードマップ画像の地図縮尺を判定し、前記地図縮尺の異なる複数の前記イラストマップ画像のうちから、判定した地図縮尺に最も近似する地図縮尺を有する前記イラストマップ画像を選択し、当該選択した前記イラストマップ画像を前記上層レイヤーに表示させるようにしていることを特徴とする。
【０００８】
本発明は、第４に、情報表示端末に関し、前記中央制御装置は、前記下層レイヤーに表示される前記ロードマップ画像の地図縮尺と、前記選択して前記上層レイヤーに表示させる前記イラストマップ画像の地図縮尺が一致しない場合に、前記上層レイヤーに表示させる前記イラストマップ画像の地図縮尺が一致するように、当該イラストマップ画像を拡大・縮小して表示させるようにしていることを特徴とする。
【０００９】
本発明は、第５に、情報表示端末に関し、前記中央制御装置は、前記操作装置の操作にもとづいて、前記下層レイヤーに表示される前記ロードマップ画像が拡大・縮小された場合に、当該拡大・縮小の倍率に一致するように、前記上層レイヤーに表示させる前記イラストマップ画像の地図縮尺が一致するように、当該イラストマップ画像を拡大・縮小して表示させるようにしていることを特徴とする。
【００１０】
本発明は、第６に、情報表示端末に関し、前記経路検索サーバは、前記情報表示端末において、前記ロードマップ画像中の少なくとも２点が指定された場合に、当該２点間の経路情報を作成して前記情報表示端末に送信し、前記中央制御装置は、前記経路検索サーバから受信した前記経路情報にもとづいて、前記下層レイヤーに表示される前記ロードマップ画像に、前記上層レイヤーに表示される前記イラストマップ画像を重ねて表示させた画像に経路画像を描画するようにしていることを特徴とする。
【００１１】
本発明は、第７に、情報表示端末用のプログラムに関し、ロードマップ画像が蓄積されたデータベースを有する経路検索サーバとネットワークを介して接続され、前記経路検索サーバに前記ネットワークを介して接続する通信装置と、前記通信装置を介して、前記データベースから取得した前記ロードマップ画像を表示する表示装置と、前記ロードマップ画像に重ね合わせて表示可能であり、緯度経度情報にもとづいてラウンドマークが表示されたイラストマップ画像を記憶する記憶装置と、ユーザーが操作可能な操作装置と、前記前記通信装置、前記表示装置、前記記憶装置及び前記操作装置にそれぞれ接続され、前記表示装置に表示される画像を制御可能な中央制御装置とを備える情報表示端末を前提とし、前記データベースから取得した前記ロードマップ画像を、前記表示装置の下層レイヤーに表示させ、前記イラストマップ画像を上層レイヤーに表示させ、前記下層レイヤーに表示される前記ロードマップ画像の緯度経度情報と、前記上層レイヤーに表示される前記イラストマップ画像の緯度経度情報とが一致するように、前記上層レイヤーに表示される前記イラストマップ画像を、前記下層レイヤーに表示される前記ロードマップ画像に重ねて表示させるように前記中央制御装置を機能させるための情報表示端末用のプログラムである。
【００１２】
本発明は、第８に、情報表示端末用のプログラムに関し、前記イラストマップ画像を含むことを特徴とする。
【発明の効果】
【００１３】
本発明は、以上のように構成されているので、次の効果を奏する。
すなわち、本発明は、ネット上、取得可能なロードマップに、観光等に利用可能なイラストマップを簡便に重ね合わせて表示することができるようにしたものである。
【図面の簡単な説明】
【００１４】
【図１】スマートフォンの画像表示方法を説明するための説明図である。
【図２】マップ提供システムの概略説明図である。
【図３】情報表示端末の内部構造を説明するための説明図である。
【図４】地図縮尺を説明する説明図である。
【図５】ラウンドマークの説明図である。
【図６】ラウンドマークの緯度経度情報の説明図である。
【図７】スマートフォンの画像の表示画面の一例を説明するための説明図である。
【図８】図７に対応し、エリアの選択を説明するための説明図である。
【図９】図７に対応し、旅行プランの作成を説明するための説明図である。
【図１０】図７に対応し、ラウンドマークの写真及び説明文の表示を説明するための説明図である。
【図１１】図７に対応し、旅行プランの作成手順を説明するための説明図である。
【図１２】図７に対応し、他のラウンドマークの写真及び説明文の表示を説明するための説明図である。
【図１３】図７に対応し、新たに作成したプランを説明するための説明図である。
【図１４】図７に対応し、新たに作成したプランの完成状態を説明するための説明図である。
【図１５】図７に対応し、新たに作成したプランの登録を説明するための説明図である。
【図１６】プランの種類を説明するための説明図である。
【図１７】図７に対応し、現在位置の表示を説明するための説明図である。
【図１８】図７に対応し、プランの修正を説明するための説明図である。
【図１９】図７に対応し、プランの修正の途中の説明するための説明図である。
【図２０】図７に対応し、プランの修正の完成状態を説明するための説明図である。
【図２１】本発明の第２の実施の形態を示し、同図はスマートフォンの画像の表示画面の一例を説明するための説明図である。
【図２２】図２２に対応し、写真画像の拡大表示状態を説明するための説明図である。
【図２３】本発明の第２の実施の形態を示し、同図はマップ提供システムの概略説明図である。
【発明を実施するための形態】
【００１５】
（マップ提供システム10）
図２中、10は、マップ提供システムを示し、当該マップ提供システム10は、ネットワーク、例えばインターネット20を中心に構築されている。
なお、ネットワークとして、インターネット20を例示したが、これに限定されない。
マップ提供システム10は、図２に示すように、次の端末から構成されている。
【００１６】
なお、次の（１）〜（３）については、後述する。
（１）情報表示端末30
（２）経路検索サーバ40
（３）イラストマップ提供サーバ50
なお、マップ提供システム10の端末は、上記した（１）〜（３）に限定されず、例えば「（３）イラストマップ提供サーバ50」を省いても良い。
（情報表示端末30）
情報表示端末30は、図２に示すように、インターネット20に接続可能なものであり、例えばスマートフォン31（スマホ）やパーソナルコンピュータ32（ＰＣ）等がある。
【００１７】
情報表示端末30は、図３に示すように、大別すると、次の装置から構成されている。
なお、次の（１）〜（９）については、後述する。
（１）中央制御装置30a
（２）通信装置30b
（３）表示装置30c
（４）記憶装置30d
（５）操作装置30e
（６）音声発生装置30f
（７）ＧＰＳ装置30g
（８）加速度センサ30h
（９）写真・動画撮影装置30i
なお、情報表示端末30の装置は、上記した（１）〜（９）に限定されず、例えば「（６）音声発生装置30f」、「（７）ＧＰＳ装置30g」、「（８）加速度センサ30h」や「（９）写真・動画撮影装置30i」を省いても良い。
（経路検索サーバ40）
経路検索サーバ40は、図１に示すロードマップ画像41が蓄積されたデータベース（図示せず）を有するものである。
【００１８】
経路検索サーバ40は、図１に示すように、情報表示端末20において、ロードマップ画像41中の少なくとも２点が指定された場合に、データベース（図示せず）を検索し、当該２点間の経路情報を作成して情報表示端末20に送信する。
（イラストマップ提供サーバ50）
イラストマップ提供サーバ50は、図１に示すイラストマップ画像51を蓄積し、情報表示端末30からの要求に応じてイラストマップ画像51を、インターネット20を介して情報表示端末30に送信するものである。
（中央制御装置30a）
中央制御装置30aは、図３に示すように、通信装置30b、表示装置30c、記憶装置30d及び操作装置30eにそれぞれ接続され、表示装置30cに表示される画像を制御可能なものである。
【００１９】
中央制御装置30aは、図示しないが、ＣＰＵを中心に構成され、後述する記憶装置30d内に記憶されたプログラム及びデータを読み込むことで、次の動作を実行している。
なお、中央制御装置30aの動作は、次の（１）〜（６）に限定されない。
（１）第１の動作
中央制御装置30aは、図１示すように、経路検索サーバ40のデータベースから取得したロードマップ画像41を、後述する表示装置30cの下層レイヤー61に表示させるとともに、イラストマップ画像51を上層レイヤー62に表示させている。
【００２０】
中央制御装置30aは、図１示すように、下層レイヤー61に表示されるロードマップ画像41の緯度経度情報と、上層レイヤー62に表示されるイラストマップ画像51の緯度経度情報とが一致するように、上層レイヤー62に表示されるイラストマップ画像51を、下層レイヤー61に表示されるロードマップ画像41に重ねて表示させるようにしている。
（２）第２の動作
中央制御装置30aは、図１に示すように、下層レイヤー61に表示されるロードマップ画像41中から予め設定した複数の第１の位置X1〜X4から緯度経度情報を取得している。
【００２１】
中央制御装置30aは、図１に示すように、取得した緯度経度情報から経緯緯度を読み出し、当該読み出した経緯緯度に対応する緯度経度を有する複数の第２の位置Y1〜Y4をイラストマップ画像51上で特定している。
中央制御装置30aは、図１に示すように、第１の位置X1〜X4と第２の位置Y1〜Y4とがそれぞれ一致するように、上層レイヤー62に表示されるイラストマップ画像51を、下層レイヤー61に表示されるロードマップ画像41に重ねて表示させるようにしている。
【００２２】
（３）第３の動作
中央制御装置30aは、取得した緯度経度情報から下層レイヤー61に表示されるロードマップ画像41の地図縮尺を判定し、図４に示すように、地図縮尺の異なる複数のイラストマップ画像51のうちから、判定した地図縮尺に最も近似する地図縮尺を有するイラストマップ画像51を選択し、当該選択したイラストマップ画像51を上層レイヤー62に表示させるようにしている
（４）第４の動作
中央制御装置30aは、下層レイヤー61に表示されるロードマップ画像41の地図縮尺と、選択して上層レイヤー62に表示させるイラストマップ画像51の地図縮尺が一致しない場合に、上層レイヤー62に表示させるイラストマップ画像51の地図縮尺が一致するように、当該イラストマップ画像51を拡大・縮小して表示させるようにしている。
【００２３】
（５）第５の動作
中央制御装置30aは、後述する操作装置30eの操作にもとづいて、下層レイヤー61に表示されるロードマップ画像41が拡大・縮小された場合に、当該拡大・縮小の倍率に一致するように、上層レイヤー62に表示させるイラストマップ画像51の地図縮尺が一致するように、当該イラストマップ画像51を拡大・縮小して表示させるようにしている。
【００２４】
（６）第６の動作
中央制御装置33は、図２に示す経路検索サーバ40から受信した経路情報にもとづいて、図１、図１３、図１４及び図１７〜２０に示すように、下層レイヤー61に表示されるロードマップ画像41に、上層レイヤー62に表示されるイラストマップ画像51を重ねて表示させた画像に経路画像63a,63bを描画するようにしている。
（通信装置30b）
通信装置30bは、図２に示すように、経路検索サーバ40にインターネット20を介して接続するものである。
（表示装置30c）
表示装置30cは、通信装置30bを介して、図１に示すように、経路検索サーバ40のデータベースから取得したロードマップ画像41を、表示画面60上に表示するものであり、例えば液晶ディスプレイから構成されている。
【００２５】
なお、表示装置30cとして、液晶ディスプレイを例示したが、これに限定されない。
（記憶装置30d）
記憶装置30dは、図１に示すように、ロードマップ画像41に重ね合わせて表示可能であり、緯度経度情報（図６参照）にもとづいてラウンドマーク70が表示されたイラストマップ画像51を記憶するものである。
【００２６】
また、記憶装置30dには、情報表示端末20用のプログラムが記憶され、当該プログラムには、前述のイラストマップ画像51を含んでいても良い。
プログラムは、イラストマップ提供サーバ50から送信され、当該プログラムと別に、前述のイラストマップ画像51をイラストマップ提供サーバ50から単独で送信するようにしても良い。
【００２７】
プログラムは、図１に示すように、経路検索サーバ40のデータベースから取得したロードマップ画像41を下層レイヤー61に表示させ、イラストマップ画像51を上層レイヤー62に表示させ、下層レイヤー61に表示されるロードマップ画像41の緯度経度情報と、上層レイヤー62に表示されるイラストマップ画像51の緯度経度情報とが一致するように、上層レイヤー62に表示されるイラストマップ画像51を、下層レイヤー61に表示されるロードマップ画像41に重ねて表示させるように中央制御装置30aを機能させるためのものである。
（操作装置30e）
操作装置30eは、ユーザーが操作可能なものであり、例えばタッチパネルから構成されている。
【００２８】
なお、操作装置30eとして、タッチパネルを例示したが、これに限定されず、キーボードやマウスから構成しても良い。
（音声発生装置30f）
音声発生装置30fは、音声を発生させるものであり、例えばスピーカから構成されている。
【００２９】
なお、音声発生装置30fとして、スピーカを例示したが、これに限定されず、イヤフォン端子や音声出力端子だけを設けておいても良い。
（ＧＰＳ装置30g）
ＧＰＳ装置30gは、情報表示端末30の現在位置の緯度経度情報や方位情報を取得するためのものでり、当該現在位置の緯度経度情報にもとづいて、図１７に示すように、表示画面60上に現在位置を示すアイコン80を表示している。
（加速度センサ30h）
加速度センサ30hは、情報表示端末30の縦横の画面の向きを検出するためのものであり、当該検出情報にもとづいて、図示しないが、表示画面60上の縦横を自動的に切り替えている。
（写真・動画撮影装置30i）
写真・動画撮影装置30iは、写真や動画を撮影するためのものであり、撮影したデータは、ＧＰＳ装置30gにおいて取得した緯度経度情報と関連付けて、記憶装置30dに保存される。
【００３０】
撮影したデータは、緯度経度情報と関連付けられているので、図示しないが、マップ上の対応する緯度経度の位置に、写真や動画を表示することができる。
（ロードマップ画像41）
ロードマップ画像41は、世界測地系1984（WGS 84）にもとづいて作成され、緯度経度情報が関連付けられている。
【００３１】
なお、ロードマップ画像41を、世界測地系1984（WGS 84）にもとづいて作成したが、これに限定されず、日本の測地系等を用いても良い。
ロードマップ画像41は、図４に示すように、同一のエリアを中心とした複数種類の地図縮尺、例えば縮尺１〜１６迄の１６種類のものが存在し、これらは図２の経路検索サーバ40に記憶されている。地図縮尺は、「縮尺１」が最も「小縮尺」であり、「縮尺１６」が最も「大縮尺」となっている。
（イラストマップ画像51）
イラストマップ画像51は、ロードマップ画像41と同一の測地系、世界測地系1984（WGS 84）にもとづいて作成されている。
【００３２】
イラストマップ画像51には、図１に示すように、予め設定した複数、例えば４点の第２の位置Y1〜Y4が設定され、当該第２の位置Y1〜Y4については少なくとも緯度経度情報が関連付けられている。
好ましくは、イラストマップ画像51には、ロードマップ画像41と同様に、全域に緯度経度情報を関連付けておくと良く、本実施の形態では全域に緯度経度情報を関連付けている。
【００３３】
なお、第２の位置Y1〜Y4として、４点を例示したが、これに限定されず、三角形形に３点を設定したり、或いは方形の対角線上に２点を設定したり、更に５点以上設定しても良い。
イラストマップ画像51は、図４に示すように、ロードマップ画像41と同様に、同一のエリアを中心とした複数種類の地図縮尺、例えば縮尺１２〜１４迄の３種類のものが存在し、これらは図３の情報表示端末20の記憶装置30dに記憶されているほか、図２のイラストマップ提供サーバ50にも記憶されている。イラストマップ提供サーバ50に記憶された複数種類の地図縮尺のイラストマップ画像51は、情報表示端末20からの要求に応じて、イラストマップ提供サーバ50から送信される。
（ラウンドマーク70）
ラウンドマーク70は、図１に示すように、イラストマップ画像51上に設定され、例えば観光スポット、施設、店舗等であり、図示しないが、観光スポット等のイラスト等が描画されたり、或いは貼り付けられている。
【００３４】
ラウンドマーク70は、図５に示すように、スマートフォン31の表示画面60上において、非透過領域65に設定され、ラウンドマーク70以外の領域は透過領域66に設定されている。
すなわち、図１に示すように、上層レイヤー62には、イラストマップ画像51が配置され、下層レイヤー61にロードマップ画像41が配置されている。このため、表示画面60をクリックすると、イラストマップ画像51が表示された上層レイヤー62をクリックしたこととなる。
【００３５】
このとき、イラストマップ画像51が表示された上層レイヤー62から、ロードマップ画像41が表示された下層レイヤー61への情報の伝達において、透過領域66をクリックした場合には、上層レイヤー62を透過させて、下層レイヤー61を直接、クリックできるようにしている。
例えば、下層レイヤー61において、クリックされた位置の緯度経度情報が、図１に示す情報表示端末20から経路検索サーバ40に送信される。
【００３６】
これに対し、非透過領域65をクリックした場合には、上層レイヤー62を非透過状態となり、下層レイヤー61を直接、クリックできないようにしている。
非透過領域65であるラウンドマーク70には、図５に示すように、「緯度経度情報」（図６参照）が関連付けられた基準ポイントP1を設定されている。
なお、「緯度経度情報」については、図６を用いて後述する。
【００３７】
ラウンドマーク70には、図５に示すように、緯度経度情報が関連付けられた基準ポイントP1を設定されている。
例えば、図３の情報表示端末20の操作装置30eにより、図５のクリックポイントP2がクリックされた場合には、当該クリックポイントP2に対応する緯度経度でなく、基準ポイントP1の緯度経度を、図２の経路検索サーバ40に送信する。このため、経路検索サーバ40は、情報表示端末20から送信されたラウンドマーク70の基準ポイントP1における緯度経度にもとづいて、経路の検索を実行する。
（図６の緯度経度情報）
緯度経度情報は、ファイルとして、図３の情報表示端末30の記憶装置30dに記憶され、図６に示すように、次の項目が設定されている。
【００３８】
なお、緯度経度情報は、次の（１）〜（９）に限定されない。
（１）ＩＤ
ＩＤは、ラウンドマーク70の固有の識別番号であり、当該ＩＤによりラウンドマーク70と緯度経度情報とが関連付けられている。
なお、ＩＤは、図４に例示したものに限定されない。
【００３９】
（２）名称
名称は、ラウンドマーク70の名称である。
なお、名称は、図４に例示したものに限定されない。
（３）住所
住所は、ラウンドマーク70の住所である。
【００４０】
なお、住所は、図４に例示したものに限定されない。
（４）緯度経度（WGS 84）
緯度経度は、ラウンドマーク70の基準ポイントP1（図５参照）における緯度経度であり、世界測地系1984（WGS 84）にもとづいている。
なお、緯度経度は、図４に例示したものに限定されない。
【００４１】
（５）案内文
案内文は、ラウンドマーク70の案内文である。
なお、案内文は、図４に例示したものに限定されない。
（６）登録日
登録日は、ラウンドマーク70に係る緯度経度情報の登録日である。
【００４２】
なお、登録日は、図４に例示したものに限定されない。
（７）開始日
開始日は、案内文の表示を開始する開始日である。
なお、開始日は、図４に例示したものに限定されない。
（８）終了日
終了日は、案内文の表示を終了する開始日である。
【００４３】
なお、終了日は、図４に例示したものに限定されない。
例えば、ゴールデンウィークの「2012年5月5日」に、ラウンドマーク70がクリックされた場合には、図４の「ＩＤ」の「001a」と「001D」が呼び出される。
その結果、スマートフォン31の表示画面60には、図１０に示すように、図６の「ＩＤ」の「001a」の「説明文」の欄の「（一般用案内文）」に加え、「ＩＤ」の「001D」の「説明文」の欄の「（ゴールデンウィーク用案内文）」を表示する。また、このとき、図６の「ＩＤ」の「001a」の「その他」で関連付けられた写真データ、画像データ、音声データを表示する。なお、ゴールデンウィークの期間が過ぎた場合、例えば「2012年5月20日」に、ラウンドマーク70がクリックされた場合には、図４の「ＩＤ」の「001a」のみが呼び出される。このように、開始日や終了日の欄を設定することで、季節や時期に相応した案内を行うことができる。
【００４４】
なお、開始日や終了日の欄のほか、時間的な要素を取り込んでも良い。例えば、レストランの場合に、昼食の時間帯には軽食の案内文を表示したり、食間の時間帯には飲み物やデザートの案内文を表示したり、夕食の時間帯にはアルコール類やおつまみの案内文を表示させても良い。
（９）その他
その他には、写真データ、動画データ、音声データが有する。
【００４５】
なお、写真データ、動画データ、音声データは、緯度経度情報とは別ファイルに記録され、「その他」の欄には、その保存先と、ファイル名とが記録されている。
（使用方法）
つぎに、上記した構成を有するマップ提供システム10のスマートフォン31を例に挙げ、スマートフォン31の使用方法及びその動作について、図７以降を用いて説明する。
（図７の説明）
まず、スマートフォン31の表示画面60には、図７に示すように、「メニュー画面」が表示される。
【００４６】
「メニュー画面」には、次のボタンが設けられ、ボタンにタッチすることで選択可能に構成されている。
なお、「メニュー画面」のボタンは、次の（１）〜（４）に限定されない。
（１）旅行プラン
（２）オススメプラン
（３）地図を見る
（４）お気に入り
（図８の説明）
図７において「旅行プラン」のボタンを選択すると、図８に示すように、「エリアを選択」する画面が表示されている。当該画面には、広域のマップが表示され、選択したいエリアにタッチして、エリアを選択する。選択したエリアは、例えば点線で囲まれた四角形で表示している。
（図９の説明）
図８においてエリアを選択すると、図９に示すように、当該エリアのマップが表示される。
【００４７】
図９に表示されるマップは、図１に示すロードマップ画像41が表示された下層レイヤー61に、イラストマップ画像51が表示された上層レイヤー62を重ね合わせたものである。
上層レイヤー62に配置されたイラストマップ画像51には、予め設定された「オススメプラン」の経路画像63aが、図９に示すように、例えば点線で表示される。
なお、「オススメプラン」の経路画像63aを点線で表示したが、これに限定されない。
（図１０の説明）
図９に表示されるマップにおいて、ラウンドマーク70である「Ａ１」をクリックすると、図１０に示すように、「Ａ１」のラウンドマーク70の詳細情報が表示される。
【００４８】
すなわち、ラウンドマーク70である「Ａ１」をクリックされると、図３の情報表示端末30の中央制御装置33は、図５に示す基準ポイントP1の緯度経度にもとづいて、図６に示す緯度経度情報を検索する。その結果、中央制御装置33は、図６において対応する緯度経度を有するデータの「案内文」や「写真データ」を、図１０に示すように、スマートフォン31の表示画面60に表示させる。
【００４９】
同時に、中央制御装置33は、図５に示す基準ポイントP1の緯度経度情報を、図３に示す通信装置30bを介して、図２に示す経路検索サーバ40に送信する。
（図１１及び図１２の説明）
図１０に示す表示画面60において元の画面への戻る操作を行うと、図１１の表示画面60が表示される。
【００５０】
表示画面60において、ラウンドマーク70である「Ｂ１」をクリックすると、図１２に示すように、「Ｂ１」のラウンドマーク70の詳細情報が表示される。
ラウンドマーク70である「Ｂ１」は、「オススメプラン」の経路画像63a（点線参照）から外れた位置に表示されている。
なお、「Ｂ１」のラウンドマーク70の詳細情報を表示したが、ラウンドマーク70には詳細情報が有るものと、無い場合が存在し、詳細情報が無い場合には図１２の表示画面60に移行しないようにしている。
【００５１】
同時に、ラウンドマーク70である「Ｂ１」の基準ポイントP1（図５）の緯度経度情報が、図２に示す経路検索サーバ40に送信される。
（図１３の説明）
図１２に示す表示画面60において元の画面への戻る操作を行うと、図１３に示す表示画面60が表示される。
【００５２】
表示画面60には、ラウンドマーク70の「Ａ１」から「Ｂ１」への経路画像63bが、図１３に示すように、実線で表示されている。
なお、新たに表示した経路画像63bを実線で表示し、「オススメプラン」の経路画像63aを点線で表示したが、これらに限定されず、両者を識別可能な線であれば良い。
経路画像63bは、図２に示す経路検索サーバ40から受信した経路情報にもとづいて、情報表示端末20側で描画している。
【００５３】
すなわち、ラウンドマーク70の「Ａ１」及び「Ｂ１」の緯度経度情報が、図２に示す情報表示端末20から経路検索サーバ40に送信されている。
経路検索サーバ40は、「Ａ１」及び「Ｂ１」の緯度経度情報にもとづいて、データベース（図示せず）を検索し、「Ａ１」と「Ｂ１」との２点間の経路情報を作成して情報表示端末20に送信する。
【００５４】
図３の情報表示端末30の中央制御装置33は、経路検索サーバ40からの経路情報を受信すると、当該経路情報にもとづいて、図１３に示すように、イラストマップ画像51が表示される上層レイヤー62に、経路画像63a,63bを実線で描画するようにしている。
また、中央制御装置33は、イラストマップ画像51が表示される上層レイヤー62内に、イラストマップ画像51の上面に重ね合わせて、図１３に示すように、経路情報表示領域64を設定し、当該経路情報表示領域64に、経路検索サーバ40から受信した経路情報を表示する。
【００５５】
経路情報表示領域64には、ラウンドマーク70の「Ａ１」及び「Ｂ１」の名称のほか、経路検索サーバ40から受信した経路情報にもとづいて、「Ａ１」と「Ｂ１」間の距離、徒歩の時間を表示する。
（図１４の説明）
図１３に示す表示画面60において、ラウンドマーク70の「Ａ１」、「Ｂ１」に続いて、「Ａ３」、「Ａ４」、「Ａ５」を順にクリックし、図１４に示す新たなプランを完成する。
（図１５の説明）
その後、図１４に示す表示画面60において保存への移行の操作を行うと、図１５に示す保存画面が表示されている。
【００５６】
図１５に示す表示画面60において、新たなプランの名称を付けて保存の操作を行うことで、図３に示す情報表示端末20の記憶装置30dに記憶される。
（図１６の説明）
図３に示す情報表示端末20の記憶装置30dには、「オススメプラン」のほか、複数個、例えば５個の新たな「プラン１〜５」が記憶できる。
【００５７】
なお、新たな「プラン１〜５」の個数として、５個を例示したが、単数、２〜４個、或いは６個以上としても良い。
（図１７の説明）
図１７は、図３に示す情報表示端末20の記憶装置30dに記憶させた新たなプランを呼び出して、当該情報表示端末20を携行して歩行した場合の表示画面60を示すものである。
【００５８】
情報表示端末20を携行して歩行すると、図３に示すＧＰＳ装置30gで取得した緯度経度情報にもとづいて、図１７に示すように、表示画面60上に現在位置を示すアイコン80を表示する。
また、ＧＰＳ装置30gで取得した緯度経度情報にもとづいて、図６に示す緯度経度情報を検索し、対応する緯度経度を有するデータの「音声データ」を、図３に示す音声発生装置30fから出力させる。
【００５９】
このため、図１７に示すように、吹き出しを付けて記載した音声情報90を、実際に歩いている現在位置に即応して発生させることができる。
（図１８〜２０の説明）
図１８〜２０は、経路を散策中に変更する場合の例である。
図１７に示すように、表示画面60の経路画像63bに沿って散策中、例えばラウンドマーク70の「Ａ３」の位置で休憩中に、経路画像63bから外れたラウンドマーク70の「Ｂ３」に立ち寄りたいと場合には、「Ｂ３」をクリックする。
【００６０】
「Ｂ３」をクリックすると、当該「Ｂ３」の緯度経度情報が、図２に示す経路検索サーバ40に送信される。
経路検索サーバ40は、「Ａ３」及び「Ｂ３」の緯度経度情報にもとづいて、データベース（図示せず）を検索し、「Ａ３」と「Ｂ３」との２点間の経路情報を作成して情報表示端末20に送信する。
【００６１】
図３の情報表示端末30の中央制御装置33は、経路検索サーバ40からの経路情報を受信すると、当該経路情報にもとづいて、図１９に示すように、イラストマップ画像51が表示される上層レイヤー62に、新たな経路画像63bを実線で描画する。
また、同時に、経路情報表示領域64には、ラウンドマーク70の「Ｂ３」の名称のほか、経路検索サーバ40から受信した経路情報にもとづいて、図１９に示すように、「Ａ３」と「Ｂ３」間の距離、徒歩の時間を表示する。
【００６２】
つぎに、図１９に示す表示画面60において、ラウンドマーク70の「Ｂ３」をクリックすると、図２０に示すように、プランの修正を完了することができる。
（図２１〜２３の第２の実施の形態）
つぎに、図２１〜２３を用いて、本発明の第２の実施の形態について説明する。
本実施の特徴は、第１に、スマートフォン31の写真・動画撮影装置30i（図３参照）で撮影した写真画像100を、図２１に示すように、イラストマップ画像51上に表示できるようにした点である。
【００６３】
第２に、本実施の特徴は、スマートフォン31のＧＰＳ装置30g（図３参照）を利用し、図２１に示すように、撮影位置の緯度経度に対応した位置に、写真画像100を表示できるようにした点である。
なお、写真画像100である静止画を例示したが、これに限定されず、動画を表示できるようにしても良いし、或いは動画のサムネイルを表示するようにしても良い。
【００６４】
第３に、本実施の特徴は、撮影した写真画像100に、撮影日時及び撮影位置の緯度経度等の情報を付加して、図２３に示すように、投稿データ管理サーバ110に投稿できるようにした点である。
なお、撮影した写真画像100を投稿するか否かは、ユーザーの選択にゆだねられている。また、投稿データとして、写真画像100である静止画を例示したが、これに限定されず、動画、音声、或いはプレビューや日記等の文字情報であっても良い。
【００６５】
第４に、本実施の特徴は、投稿データ管理サーバ110（図２３参照）に蓄積された投稿データを、スマートフォン31にダウンロードして、ダウンロードした投稿データに含まれている撮影位置の緯度経度の情報にもとづいて、図２１に示すように、撮影位置の緯度経度に対応した位置に、写真画像100を表示できるようにした点である。
なお、投稿データ管理サーバ110に蓄積された投稿データは、ユーザが実際に投稿したものに限らず、投稿データ管理サーバ110側が予め用意したものであっても良い。
（使用方法）
つぎに、上記した構成を有する投稿データ管理サーバ110と接続可能なスマートフォン31を例に挙げ、スマートフォン31の使用方法及びその動作について、図２１〜２３を用いて説明する。
（図２１の説明）
スマートフォン31の写真・動画撮影装置30i（図３参照）で写真を撮影すると、撮影した写真画像100が、図２１に示すように、イラストマップ画像51上に表示される。
【００６６】
このとき、スマートフォン31のＧＰＳ装置30g（図３参照）により、撮影位置の緯度経度情報を取得し、撮影位置の緯度経度に対応した位置に、写真画像100が表示される。
例えば、「Ａ１」のラウンドマーク70の位置で撮影すると、ラウンドマーク70の右隣に順に表示される。なお、１枚目の写真画像100は、ラウンドマーク70の右隣の直近に表示される。２枚目の写真を撮影すると、１枚目の写真画像100は右側に移動し、２枚目の写真画像100がラウンドマーク70の右隣の直近に表示される。３枚目の写真を撮影すると、ラウンドマーク70の右隣から３枚目、２枚目、１枚目の順で表示される。４枚目の写真を撮影すると、１枚目の写真画像100が右側に移動して消え、４枚目、３枚目、２枚目の順で表示される。
【００６７】
また、例えば、「Ａ５」のラウンドマーク70の位置で撮影すると、ラウンドマーク70の下方に順に表示される。なお、写真画像100の表示方法は、右隣に表示する場合と同様である。
なお、ラウンドマーク70の右隣や下方に表示したが、これらの表示位置に限定されない。また、写真画像100の最大表示枚数として、３枚を例示したが、単数、２枚或いは４枚以上としても良い。さらに、写真画像100である静止画を例示したが、これに限定されず、動画を表示できるようにしても良いし、或いは動画のサムネイルを表示するようにして
も良い。
（図２２の説明）
図２１に示す写真画像100を、クリックすると、図２２に示すように、当該写真画像100を拡大表示できる。
【００６８】
なお、動画の場合も同様であり、図示しないが、クリックすると、拡大表示され、動画の再生が開始される。
（図２３の説明）
スマートフォン31で撮影した写真画像100（図２１及び図２２）は、スマートフォン31の通信装置30b（図３参照）を使用して、図２３に示すように、投稿データ管理サーバ110にインターネット20を介して投稿することができる。
【００６９】
投稿した写真画像100は、他のスマートフォン31やパーソナルコンピュータ32から見たり、或いはダウンロードして見ることができる。
【符号の説明】
【００７０】
（第１の実施の形態）
10  マップ提供システム            20  インターネット（ネットワーク）
30  情報表示端末
30a 中央制御装置                  30b 通信装置
30c 表示装置                      30d 記憶装置
30e 操作装置                      30f 音声発生装置
30g ＧＰＳ装置                    30h 加速度センサ
30i 写真・動画撮影装置
31  スマートフォン（スマホ）      32  パーソナルコンピュータ（ＰＣ）
40  経路検索サーバ
41  ロードマップ画像              X1〜X4  第１の位置
50  イラストマップ提供サーバ
51  イラストマップ画像            Y1〜Y4  第２の位置
60  表示画面
61  下層レイヤー                  62  上層レイヤー
63a,63b 経路画像                  64  経路情報表示領域
65  非透過領域                    66  透過領域
70  ラウンドマーク
P1  基準ポイント                  P2  クリックポイント
80  アイコン                      90  音声情報
（第２の実施の形態）
100  写真画像
110  投稿データ管理サーバ
【図１】
2013250643.tif 000003
【図２】
2013250643.tif 000004
【図３】
2013250643.tif 000005
【図４】
2013250643.tif 000006
【図５】
2013250643.tif 000007
【図６】
2013250643.tif 000008
【図７】
2013250643.tif 000009
【図８】
2013250643.tif 000010
【図９】
2013250643.tif 000011
【図１０】
2013250643.tif 000012
【図１１】
2013250643.tif 000013
【図１２】
2013250643.tif 000014
【図１３】
2013250643.tif 000015
【図１４】
2013250643.tif 000016
【図１５】
2013250643.tif 000017
【図１６】
2013250643.tif 000018
【図１７】
2013250643.tif 000019
【図１８】
2013250643.tif 000020
【図１９】
2013250643.tif 000021
【図２０】
2013250643.tif 000022
【図２１】
2013250643.tif 000023
【図２２】
2013250643.tif 000024
【図２３】
2013250643.tif 000025